【手続補正書】
【提出日】平成19年3月28日(2007.3.28)
【手続補正１】
【補正対象書類名】明細書
【補正対象項目名】発明の名称
【補正方法】変更
【補正の内容】
【発明の名称】遠隔制御装置、遠隔制御方法、及び、遠隔制御プログラム
【手続補正２】
【補正対象書類名】明細書
【補正対象項目名】特許請求の範囲
【補正方法】変更
【補正の内容】
【特許請求の範囲】
【請求項１】  遠隔制御信号を受信して動作する機器の画像と、当該機器の前記遠隔制御信号を生成するための遠隔制御信号情報とを対応させて複数組記憶する記憶手段と、
遠隔制御信号を受信して動作する機器を撮像する撮像手段と、
この撮像手段によって撮像された機器の画像に基づいて、前記記憶手段から撮像された機器に対応する遠隔制御信号を生成するための遠隔制御信号情報を読み出す読出手段と、
この読出手段により読み出された遠隔制御信号情報に基づき前記遠隔制御信号を生成する制御信号生成手段と、
この制御信号生成手段により生成された前記遠隔制御信号を送信する送信手段と、
を備えることを特徴とする遠隔制御装置。
【請求項２】  前記撮像手段により撮像された機器の画像と、当該機器の前記遠隔制御信号を生成するための遠隔制御信号情報とを対応させて前記記憶手段に記憶するよう制御する記憶制御手段を更に備えることを特徴とする請求項１に記載の遠隔制御装置。
【請求項３】  前記記憶手段は、前記遠隔制御信号を送信する際に操作される操作子を表示するための表示情報をさらに記憶し、
この表示情報に基づき前記操作子を表示する表示手段と、
この表示手段に表示される操作子に対する操作を検出する検出手段と、をさらに備え、
前記送信手段は、前記検出手段により検出された操作子に対応する遠隔制御信号を送信することを特徴とする請求項１又は２記載の遠隔制御装置。
【請求項４】  前記機器の表面に可視光を投光する投光手段をさらに備え、
前記撮像手段は、前記機器において前記可視光が投光された部分を含む所定範囲の画像を撮像することを特徴とする請求項１乃至３の何れか記載の遠隔制御装置。
【請求項５】  前記遠隔制御信号情報と表示情報の少なくとも一部を、ネットワークを介してダウンロードするダウンロード手段をさらに備え、
前記記憶手段は、このダウンロード手段によりダウンロードされた前記遠隔制御信号情報と表示情報とを記憶することを特徴とする請求項１乃至４の何れかに記載の遠隔制御装置。
【請求項６】  撮像部に対し遠隔制御信号を受信して動作する機器を撮像させる撮像ステップと、
この撮像ステップにて撮像された機器の画像に基づいて、予め遠隔制御信号を受信して動作する機器の画像と当該機器の前記遠隔制御信号を生成するための遠隔制御信号情報とを対応させて複数組記憶する記憶部から、この撮像された機器に対応する遠隔制御信号を生成するための遠隔制御信号情報を読み出す読出ステップと、
この読出ステップにて読み出された遠隔制御信号情報に基づき前記遠隔制御信号を生成する制御信号生成ステップと、
この制御信号生成ステップにて生成された前記遠隔制御信号を送信部にて送信させる送信ステップと、
を含むことを特徴とする遠隔制御方法。
【請求項７】  撮像部と記憶部と送信部とを備えた遠隔制御装置が有するコンピュータを、
前記撮像部に対し遠隔制御信号を受信して動作する機器を撮像させる撮像制御手段、
この撮像制御手段によって撮像された機器の画像に基づいて、予め遠隔制御信号を受信して動作する機器の画像と当該機器の前記遠隔制御信号を生成するための遠隔制御信号情報とを対応させて複数組記憶した前記記憶部から、この撮像された機器に対応する遠隔制御信号を生成するための遠隔制御信号情報を読み出す読出手段、
この読出手段によって読み出された遠隔制御信号情報に基づき前記遠隔制御信号を生成する制御信号生成手段、
この制御信号生成手段によって生成された前記遠隔制御信号を送信部にて送信させる送信制御手段、
として機能させることを特徴とする遠隔制御プログラム。
【手続補正３】
【補正対象書類名】明細書
【補正対象項目名】０００２
【補正方法】変更
【補正の内容】
【０００２】
本発明は、各種機器を遠隔操作するための遠隔制御装置、遠隔制御方法、及び、遠隔制御プログラムに関する。
【手続補正４】
【補正対象書類名】明細書
【補正対象項目名】０００７
【補正方法】変更
【補正の内容】
【０００７】
本発明は、このような従来の課題に鑑みてなされたものであり、メーカーや機器の種別に左右されることなく、全ての機器を統合的に遠隔操作することのできる遠隔制御装置、遠隔制御方法、及び、遠隔制御プログラムを提供することを目的とするものである。
【手続補正５】
【補正対象書類名】明細書
【補正対象項目名】０００９
【補正方法】変更
【補正の内容】
【０００９】
前記課題を解決するために請求項１記載の発明にあっては、遠隔制御信号を受信して動作する機器の画像と、当該機器の前記遠隔制御信号を生成するための遠隔制御信号情報とを対応させて複数組記憶する記憶手段と、遠隔制御信号を受信して動作する機器を撮像する撮像手段と、この撮像手段によって撮像された機器の画像に基づいて、前記記憶手段から撮像された機器に対応する遠隔制御信号を生成するための遠隔制御信号情報を読み出す読出手段と、この読出手段により読み出された遠隔制御信号情報に基づき前記遠隔制御信号を生成する制御信号生成手段と、この制御信号生成手段により生成された前記遠隔制御信号を送信する送信手段と、を備えることを特徴とする。
【手続補正６】
【補正対象書類名】明細書
【補正対象項目名】００１０
【補正方法】変更
【補正の内容】
【００１０】
また、請求項２記載の発明は、上記請求項１記載の発明に加え、前記撮像手段により撮像された機器の画像と、当該機器の前記遠隔制御信号を生成するための遠隔制御信号情報とを対応させて前記記憶手段に記憶するよう制御する記憶制御手段を更に備えることを特徴とする。
【手続補正７】
【補正対象書類名】明細書
【補正対象項目名】００１１
【補正方法】変更
【補正の内容】
【００１１】
また、請求項３記載の発明は、上記請求項１又は２記載の発明に加え、前記記憶手段は、前記遠隔制御信号を送信する際に操作される操作子を表示するための表示情報をさらに記憶し、この表示情報に基づき前記操作子を表示する表示手段と、この表示手段に表示される操作子に対する操作を検出する検出手段と、をさらに備え、前記送信手段は、前記検出手段により検出された操作子に対応する遠隔制御信号を送信することを特徴とする。
【手続補正８】
【補正対象書類名】明細書
【補正対象項目名】００１２
【補正方法】変更
【補正の内容】
【００１２】
また、請求項４記載の発明は、上記請求項１乃至３の何れか記載の発明に加え、前記機器の表面に可視光を投光する投光手段をさらに備え、前記撮像手段は、前記機器において前記可視光が投光された部分を含む所定範囲の画像を撮像することを特徴とする。
【手続補正９】
【補正対象書類名】明細書
【補正対象項目名】００１３
【補正方法】変更
【補正の内容】
【００１３】
また、請求項５記載の発明は、上記請求項１乃至４の何れか記載の発明に加え、前記遠隔制御信号情報と表示情報の少なくとも一部を、ネットワークを介してダウンロードするダウンロード手段をさらに備え、前記記憶手段は、このダウンロード手段によりダウンロードされた前記遠隔制御信号情報と表示情報とを記憶することを特徴とする。
【手続補正１０】
【補正対象書類名】明細書
【補正対象項目名】００１４
【補正方法】変更
【補正の内容】
【００１４】
前記課題を解決するために請求項６記載の発明にあっては、撮像部に対し遠隔制御信号を受信して動作する機器を撮像させる撮像ステップと、この撮像ステップにて撮像された機器の画像に基づいて、予め遠隔制御信号を受信して動作する機器の画像と当該機器の前記遠隔制御信号を生成するための遠隔制御信号情報とを対応させて複数組記憶する記憶部から、この撮像された機器に対応する遠隔制御信号を生成するための遠隔制御信号情報を読み出す読出ステップと、この読出ステップにて読み出された遠隔制御信号情報に基づき前記遠隔制御信号を生成する制御信号生成ステップと、この制御信号生成ステップにて生成された前記遠隔制御信号を送信部にて送信させる送信ステップと、を含むことを特徴とする。
【手続補正１１】
【補正対象書類名】明細書
【補正対象項目名】００１５
【補正方法】変更
【補正の内容】
【００１５】
前記課題を解決するために請求項７記載の発明にあっては、撮像部と記憶部と送信部とを備えた遠隔制御装置が有するコンピュータを、前記撮像部に対し遠隔制御信号を受信して動作する機器を撮像させる撮像制御手段、この撮像制御手段によって撮像された機器の画像に基づいて、予め遠隔制御信号を受信して動作する機器の画像と当該機器の前記遠隔制御信号を生成するための遠隔制御信号情報とを対応させて複数組記憶した前記記憶部から、この撮像された機器に対応する遠隔制御信号を生成するための遠隔制御信号情報を読み出す読出手段、この読出手段によって読み出された遠隔制御信号情報に基づき前記遠隔制御信号を生成する制御信号生成手段、この制御信号生成手段によって生成された前記遠隔制御信号を送信部にて送信させる送信制御手段、として機能させることを特徴とする。
【手続補正１２】
【補正対象書類名】明細書
【補正対象項目名】００４５
【補正方法】変更
【補正の内容】
【００４５】
以上説明したように本発明によれば、遠隔制御信号を受信して動作する機器の画像と、当該機器の前記遠隔制御信号を生成するための遠隔制御信号情報とを対応させて予め記憶させておき、撮像された機器の画像に対応する遠隔制御信号情報を読み出して、遠隔制御信号を生成し送信するようにしたことから、メーカーや機器の種別に左右されることなく全ての機器を単一の遠隔制御装置で統合的に遠隔操作することが可能となる。
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】削除
【補正の内容】